(57)【要約】      （修正有）【課題】表示ムラを抑制することで良好な表示品質が得られる電気泳動表示装置及び電子機器を提供する。【解決手段】第１基板１と、第１基板１の一方面側に配置される電気泳動層１１と、電気泳動層１１の第１基板１と反対側に配置され、電気泳動層１１の厚さ方向において、電気泳動層１１から離間するに従って、屈折率が漸次大きくなるように変化する屈折率変化層１２と、を備える。【選択図】図１
2015060024.tif 000002
【特許請求の範囲】
【請求項１】
第１基板と、
前記第１基板の一方面側に配置される電気泳動層と、
前記電気泳動層の前記第１基板と反対側に配置され、前記電気泳動層の厚さ方向において、前記電気泳動層から離間するに従って、屈折率が漸次大きくなるように変化する屈折率変化層と、を備える
電気泳動表示装置。
【請求項２】
前記屈折率変化層は、前記屈折率が連続的に変化する
請求項１に記載の電気泳動表示装置。
【請求項３】
前記第１基板との間で前記電気泳動層を挟持する第２基板を備え、
前記屈折率変化層は、前記電気泳動層と前記第２基板との間に配置される
請求項１又は２に記載の電気泳動表示装置。
【請求項４】
前記第１基板との間で前記電気泳動層を挟持する第２基板を備え、
前記屈折率変化層は、前記第２基板における前記電気泳動層と反対側に設けられる
請求項１又は２に記載の電気泳動表示装置。
【請求項５】
前記屈折率変化層は、屈折率異方性を有する屈折率異方性材料を含む
請求項１〜４のいずれか一項に記載の電気泳動表示装置。
【請求項６】
前記屈折率異方性材料がディスコチック液晶である
請求項５に記載の電気泳動表示装置。
【請求項７】
第１基板と、
前記第１基板の一方面側に配置される電気泳動層と、
前記電気泳動層の前記第１基板と反対側に配置され、前記電気泳動層からの光を該電気泳動層の厚さ方向に導いて出射させる導光部材と、を備える
電気泳動表示装置。
【請求項８】
請求項１乃至７のいずれか一項に記載の電気泳動表示装置を備えた
電子機器。
【発明の詳細な説明】
【技術分野】
【０００１】
本発明は、電気泳動表示装置及び電子機器に関するものである。
【背景技術】
【０００２】
従来、電気泳動表示装置として、一対の基板間に形成した隔壁によって区画される領域に電気泳動粒子を分散させた分散液を封入したものが知られている（例えば、下記特許文献１参照）。
【先行技術文献】
【特許文献】
【０００３】
【特許文献１】特開２０１３−７９８５号公報
【発明の概要】
【発明が解決しようとする課題】
【０００４】
しかしながら、上記従来技術では、ある画素を対象画素として着目した場合、周辺の画素の色（反射率）によって対象画素の明るさが変わってしまい、表示ムラが生じてしまうといった問題があった。
【０００５】
本発明の一つの態様は、上記の課題を解決するためになされたものであって、表示ムラを抑制することで良好な表示品質が得られる電気泳動表示装置及び電子機器を提供することを目的の一つとする。
【課題を解決するための手段】
【０００６】
本発明者らは、鋭意研究の結果、周辺の画素の色（反射率）によって対象画素の明るさが変わってしまうのは、周辺画素での反射光の約６０％が基板表面で反射されて対象画素に照射され、該対象画素はこの光を反射することにあることを見出した。すなわち、周辺画素が黒になれば対象画素に照射される光量が減ることで対象画素が暗くなり、周辺画素が白になれば対象画素に照射される光量が増えることで対象画素が明るくなるといった光学的なクロストークが上記表示ムラを生じさせるとの知見を得た。そして、この知見に基づき、本発明を完成させたのである。
【０００７】
本発明の第１態様に従えば、第１基板と、前記第１基板の一方面側に配置される電気泳動層と、前記電気泳動層の前記第１基板と反対側に配置され、前記電気泳動層の厚さ方向において、前記電気泳動層から離間するに従って、屈折率が漸次大きくなるように変化する屈折率変化層と、を備える電気泳動表示装置が提供される。
【０００８】
第１態様に係る電気泳動表示装置によれば、電気泳動層で散乱された光のうち臨界角以上の光が屈折率変化層を通過する際、法線方向（電気泳動層の厚さ方向）に曲げることができる。よって、屈折率変化層を通過しない場合、全反射されることで隣接する画素を照射していた光を減らすことができる。よって、光学的クロストークに起因した表示ムラの発生が抑制されることで高品質の表示が可能である。
【０００９】
上記第１態様において、前記屈折率変化層は、前記屈折率が連続的に変化することが好ましい。
この構成によれば、屈折率変化層の屈折率が連続的に変化するので、屈折率変化層内に界面が生じることがない。よって、屈折率変化層内の界面で光が反射されることがない。よって、光が屈折率変化層を良好に通過することで外部に確実に取り出されるようになる。
【００１０】
上記第１態様において、前記第１基板との間で前記電気泳動層を挟持する第２基板を備え、前記屈折率変化層は、前記電気泳動層と前記第２基板との間に配置されることが好ましい。
この構成によれば、電気泳動層からの光を屈折率変化層に効率良く入射させることができる。
【００１１】
上記第１態様において、前記第１基板との間で前記電気泳動層を挟持する第２基板を備え、前記屈折率変化層は、前記第２基板における前記電気泳動層と反対側に設けられることが好ましい。
この構成によれば、第２基板上に屈折率変化層が配置されるので、第２基板の破損等を防止することができる。
【００１２】
上記第１態様において、前記屈折率変化層は、屈折率異方性を有する屈折率異方性材料を含むのが好ましい。
この構成によれば、電気泳動層からの光を確実に曲げることで外部に効率良く取り出すことができる。
【００１３】
上記第１態様において、前記屈折率異方性材料がディスコチック液晶であることが好ましい。
この構成によれば、ディスコチック液晶によって電気泳動層からの光を確実に屈折させて法線方向に曲げることができる。
【００１４】
本発明の第２態様に従えば、第１基板と、前記第１基板の一方面側に配置される電気泳動層と、前記電気泳動層の前記第１基板と反対側に配置され、前記電気泳動層からの光を該電気泳動層の厚さ方向に導いて出射させる導光部材と、を備える電気泳動表示装置が提供される。
【００１５】
第２態様に係る電気泳動表示装置によれば、電気泳動層で散乱された光のうち臨界角以上の光を導光部材によって法線方向（電気泳動層の厚さ方向）に取り出すことができる。よって、導光部材を設けない場合、全反射されることで隣接する画素を照射していた光を減らすことができる。よって、光学的クロストークに起因した表示ムラの発生が抑制されることで高品質の表示が可能である。
【００１６】
本発明の第３態様に従えば、上記第１態様又は第２態様に係る電気泳動表示装置を備えた電子機器が提供される。
【００１７】
第３態様に係る電子機器によれば、上記電気泳動表示装置を備えるので、該電子機器自体も表示ムラが抑制されることで品質の高い表示を行うことができる。
【図面の簡単な説明】
【００１８】
【図１】第１実施形態に係る電気泳動表示装置の概略構成を示す断面図。
【図２】従来の電気泳動表示装置で生じている現象を説明するための概略断面図。
【図３】式（１）をグラフ化した図。
【図４】光学素子の概略構成を示す断面図。
【図５】第２実施形態に係る電気泳動表示装置の概略構成を示す断面図。
【図６】ファイバープレートにおける光ファイバーの配置ピッチの説明図。
【図７】変形例に係る電気泳動表示装置の概略構成を示す図。
【図８】（ａ）は、電子機器の一例である電子ブックを示す斜視図、（ｂ）は、電子機器の一例である腕時計を示す斜視図、（ｃ）は、電子機器の一例である電子ペーパーを示す斜視図。
【発明を実施するための形態】
【００１９】
以下、本発明の電気泳動表示装置及び電子機器の一実施形態について、図面を参照しつつ説明する。
なお、以下の説明で用いる図面は、特徴をわかりやすくするために、便宜上特徴となる部分を拡大して示している場合があり、各構成要素の寸法比率などが実際と同じであるとは限らない。
【００２０】
（第１実施形態）
図１は本実施形態に係る電気泳動表示装置の概略構成を示す断面図である。図１に示すように電気泳動表示装置１００は、素子基板１と、対向基板２と、該素子基板１及び対向基板２間に配置される電気泳動層１１と、を備えている。
【００２１】
素子基板（第１基板）１は、基材１Ａと、基材１Ａの電気泳動層１１側に設けられた画素電極（第１電極）４と、画素電極４を覆う第１絶縁膜７と、を含む。基材１Ａは、ガラスやプラスチック等からなる基板であり、画像表示面とは反対側に配置されるため透明なものでなくてもよい。画素電極４は、Ｃｕ箔上にニッケルめっきと金めっきとをこの順で積層したものや、Ａｌ、ＩＴＯ（インジウム錫酸化物）などにより形成された電極である。図示は省略しているが、画素電極４と基材１Ａとの間には、走査線、データ線、及び選択トランジスタなどが形成されている。
【００２２】
対向基板（第２基板）２は、ガラスやプラスチック等の透明基材から構成され、画像表示側に配置される。対向基板２の電気泳動層１１側には複数の画素電極４と対向する平面形状の共通電極５が形成されている。共通電極５の全面は、第２絶縁膜８により覆われている。共通電極５は、ＭｇＡｇ、ＩＴＯ、ＩＺＯ（インジウム・亜鉛酸化物）などから形成された透明電極である。
【００２３】
電気泳動層１１は、素子基板１の内面側に設けられた第１絶縁膜７と、対向基板２の内面側に設けられた第２絶縁膜８と、これら第１絶縁膜７及び第２絶縁膜８間に配置された隔壁１０と、で仕切られた空間に充填されている。隔壁１０は、各画素電極４に対応して設けられる画素Ｇを区画するものであって、透光性材料（アクリルやエポキシ樹脂など）から構成されている。
【００２４】
隔壁１０の厚みは、例えば、３０μｍである。なお、隔壁１０の上部と第２絶縁膜８との間には、接合層２１が設けられている。接合層２１は、対向基板２と隔壁１０が形成された素子基板１とを接合するためのものである。接合層２１は、例えば透明樹脂で構成されており、隔壁１０の上部を接合層２１に食い込ませている。接合層２１の厚みは、電界の妨げにならない程度が良く、例えば、２μｍ〜６μｍ程度とするのが好ましい。また、隔壁１０の接合層２１への食い込み量は、例えば、０．５μｍ〜１μｍとするのが好ましい。
【００２５】
電気泳動層１１は、分散媒３０中に分散された複数の電気泳動粒子３１から構成される。本実施形態において、電気泳動粒子３１は、例えば白色粒子３１ａ及び黒色粒子３１ｂを含む。
【００２６】
白色粒子３１ａは、例えば、二酸化チタン、亜鉛華、三酸化アンチモン等の白色顔料からなる粒子（高分子あるいはコロイド）であり、例えば負に帯電されて用いられる。黒色粒子３１ｂは、例えば、アニリンブラック、カーボンブラック等の黒色顔料からなる粒子（高分子あるいはコロイド）であり、例えば正に帯電されて用いられる。これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
【００２７】
また、白色粒子３１ａ及び黒色粒子３１ｂに代えて、例えば赤色、緑色、青色などの顔料を用いてもよい。この構成によれば、赤色、緑色、青色などを表示することでカラー表示を行うことが可能な電気泳動表示装置１００を提供することができる。
【００２８】
分散媒３０としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、キシレン、長鎖アルキル基を有するベンゼン類（ヘキシルベンゼン、ヘプチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）などを例示することができ、その他の油類であってもよい。これらの物質は単独又は混合物として用いることができ、さらに、カルボン酸塩のような界面活性剤などを配合してもよい。
【００２９】
このような構成に基づき、電気泳動表示装置１００では、例えば、画素電極４と共通電極５との間に電圧を印加すると、これらの間に生じる電界にしたがって、電気泳動粒子３１（白色粒子３１ａ及び黒色粒子３１ｂ）はいずれかの電極（画素電極４、共通電極５）に向かって電気泳動する。例えば、白色粒子３１ａが正荷電を有する場合、画素電極４を負電位とすると、白色粒子３１ａは画素電極４側（下側）に移動して集まり、黒表示となる。
【００３０】
ところで、一般的に電気泳動表示装置では、ある画素（対象画素）に着目した場合、周辺の画素の色、すなわち反射率によって対象画素の明るさが変わってしまい、表示ムラが生じてしまうといった問題が生じていた。
【００３１】
図２は、従来の一般的な電気泳動表示装置１００Ａにおいて生じる現象を説明するための概略断面図である。
図２に示すように、電気泳動表示装置１００Ａでは、表示面となる対向基板２Ａ側から入射した外光が電気泳動層１１Ａで散乱反射される。電気泳動層１１Ａで散乱反射された光は再び対向基板２Ａ内に入射し、対向基板２Ａと空気の界面で臨界角度未満の角度を有する光Ｌ１のうち一部の光Ｌ１ａが反射されて内部へと戻り、残りの一部の光Ｌ１ｂが表示面から画像光として出射される。一方、臨界角度以上の角度を有する光Ｌ２は、全反射されることで再び電気泳動層１１Ａへと照射される。
【００３２】
このように電気泳動表示装置１００Ａにおいて、例えば、電気泳動層１１Ａで反射された光が表示面から直接出射される割合は３８％程度、表示面の内側に戻される割合が６２％程度である。なお、表示面の内側に戻された光は、再び電気泳動層１１Ａで反射を繰り返す。
【００３３】
ある箇所の電気泳動層１１Ａから出た光は、他の箇所の電気泳動層１１Ａに戻る。すなわち、ある箇所の電気泳動層１１Ａに該当する明るさの６２％程度が他の電気泳動層１１Ａの反射光によるものとなると換言することができる。
【００３４】
ここで、電気泳動層１１Ａの反射率をＲｐとし、表示面からの光の出射率（すなわち、対向基板２越しの電気泳動層１１Ａの反射率）をＲｏｂｓとすると、以下の式（１）で規定される。
【００３５】
Ｒｏｂｓ＝０．９５（０．３８Ｒｐ／（１−０．６２Ｒｐ））…式（１）
【００３６】
なお、上記式の右辺第１項の０．９５は、入射光における対向基板２の表面での反射率を考慮したものである。
【００３７】
上記式（１）をグラフ化したもの、図３である。なお、図３において、横軸は電気泳動層１１Ａにおける反射率Ｒｐであり、縦軸は表示面からの光の出射率Ｒｏｂｓである。
【００３８】
図３に示されるように、電気泳動層１１Ａの反射率Ｒｐが下がると、表示面からの光の出射率が急速に低下する。これは、他の位置から反射されてくる光が反射率Ｒｐ分減ってしまうためと考えられる。すなわち、対象となるある画素（以下、対象画素と称す）の周辺画素が黒になれば対象画素に照射される光量が減ることで対象画素が暗くなるが、対象画素の周辺画素が白になれば対象画素に照射される光量が増えることで対象画素が明るくなるといった光学的なクロストークが上記表示ムラを生じさせるとの知見が得られた。
【００３９】
このような知見に基づき、本実施形態に係る電気泳動表示装置１００は、対向基板２における電気泳動層１１と反対側の面に配置された光学素子（屈折率変化層）１２を備えている。光学素子１２としては、例えば、液晶などの誘電率異方性を持つ材料を電気泳動表示装置１００の表示面の法線方向で誘電率が漸次変化するように配列させたものが用いられる。ここで、磁性を持たない透明な部材の屈折率は誘電率の平方根に比例するので、光学素子１２は、法線方向の屈折率が電気泳動層１１から離間するに従って漸次大きくなるように変化している。
【００４０】
図４は、光学素子１２の概略構成を示す断面図である。なお、図４においては、説明に関係のない共通電極５、第２絶縁膜８、接合層２１、及び隔壁１０の図示を省略している。図４に示すように、本実施形態に係る光学素子１２は、基材１２ｂと、該基材１２ｂ内において所定の配向状態で配置された複数のディスコチック液晶分子１２ａと、を含む液晶プレートから構成される。光学素子１２において、複数のディスコチック液晶分子１２ａの配向状態は、電気泳動層１１から離間するに従って屈折率が漸次大きくなるように変化している。具体的に、ディスコチック液晶分子１２ａは、電気泳動層１１側においては垂直配向して、電気泳動層１１から離間するに従って水平配向に移行するようになっている。
【００４１】
基材１２ｂは、例えばアクリル等の透明基材から構成されている。なお、基材１２ｂとしては、対向基板２と略同じ屈折率を有する材料を用いるのが好ましい。これによれば、電気泳動層１１で反射された光における基材１２ｂ及び対向基板２の界面での反射を抑制することができる。
【００４２】
また、本実施形態において、光学素子１２は、屈折率が連続的に変化している。
本実施形態によれば、電気泳動層１１で散乱された光が対向基板２上の光学素子１２を通過する際、電気泳動層１１から離間するに従って屈折率が連続的に大きくなっているので、散乱光のうち光学素子１２に対して法線方向以外の方向から入射した光Ｌは光学素子１２を通過するうちに法線方向に曲げられる。このように、電気泳動層１１からの光Ｌを確実に曲げることで外部に効率良く取り出すことが可能となっている。
【００４３】
これによれば、電気泳動層１１で散乱された光における光出射面に対する入射角度を臨界角よりも大きくすることができる。すなわち、光学素子１２を設けることで電気泳動層１１による散乱光の全反射条件を緩和させることができる。これにより、光学素子１２が設けられていない場合に、対向基板２の表面で全反射されることで他の画素の表示に影響を与えていた散乱光を抑制することができる。
【００４４】
したがって、上述のように一般的な電気泳動表示装置１００において生じていた、ある画素の電気泳動層１１Ａによる反射光の多くが他の画素を照射してしまっていた割合を減らすことができる。換言すると、光学素子１２を設けたことで、他の画素からの反射光を減らすことができるので、対象画素の周囲の画素の表示状態（反射率）が変化したとしても、対象画素の明るさは影響を受け難くすることができる。
以上のように上述した光学的クロストークを低減できるので、結果的に表示ムラの発生が抑制されて高品質の表示を行う事が可能となる。
【００４５】
また、本実施形態において、光学素子１２の屈折率が連続的に変化しているので、光学素子１２内に界面が生じることがない。よって、光学素子１２内の界面で光が反射されることがない。よって、電気泳動層１１の散乱光は、光学素子１２内部を良好に通過して外部に確実に取り出すことが可能となる。
【００４６】
また、本実施形態では、対向基板２が光学素子１２によって覆われているので、対向基板２の破損等を防止することができる。
【００４７】
このように本実施形態に係る電気泳動表示装置１００では、視野角を狭める方向に電気泳動層１１からの散乱光を曲げる光学素子１２を表示面側に配置することで上記光学的クロストークの発生を抑制している。
すなわち、光学素子１２を構成する液晶プレートは、液晶表示装置の視野角補償フィルムのように、液晶分子を内部側（電気泳動層１１側）においては水平配向し、空気界面側において（電気泳動層１１から離間するに従って）垂直配向に移行させることで視野角を拡げる場合とは全く逆の用途で採用されたものであり、本発明の態様は新たな着想に基づいてなされたものである。
【００４８】
（第２実施形態）
続いて、第２実施形態に係る電気泳動表示装置について説明する。上記第１実施形態では、全反射条件を緩和する手段として屈折率が漸次変化する光学素子１２を例に挙げたが、本実施形態は、電気泳動層からの光を該電気泳動層の厚さ方向に導いて出射させる導光部材を用いる点が異なる。なお、上記実施形態と同一の部材については同じ符号を付し、その詳細については省略する。
【００４９】
図５は、本実施形態に係る電気泳動表示装置の概略構成を示す断面図である。図５に示すように電気泳動表示装置２００は、素子基板１と、対向基板２と、該素子基板１及び対向基板２間に配置される電気泳動層１１と、を備えている。
【００５０】
本実施形態に係る電気泳動表示装置２００は、対向基板２における電気泳動層１１と反対側の面に配置されたファイバープレート（導光部材）５２を備えている。
【００５１】
ファイバープレート５２は、中心部の屈折率が周辺部の屈折率よりも大きい光ファイバー５２ａを所定のピッチＰで複数束ねたものから構成される。
図６はファイバープレート５２における光ファイバー５２ａの配置ピッチ（以下、単にピッチＰと称す）を説明するための図である。図６に示すように、ファイバープレート５２におけるピッチＰは、光線の出射時の出射面の法線となす角度θｕが、臨界角θｃ以下となるようにすればよい。具体的に、ファイバープレート５２の厚さをｔとした場合、Ｐ＝２ｔｔａｎθｃ以下に設定している。ここで、臨界角度θｃは、対向基板２の屈折率をｎとした時、１／ｎ＝ｓｉｎθｃを満たす角度で規定される。
【００５２】
なお、ファイバープレート５２を通過する光は少なくとも上面において臨界角θｃ以下となっていればよい。そのため、ファイバープレート５２における下方での光線の角度θｄは臨界角度θｃを超えていても良い。
【００５３】
本実施形態によれば、電気泳動層１１で散乱された散乱光は、対向基板２上のファイバープレート５２の各光ファイバー５２ａを通過することで法線方向に曲げられて出射されるようになる。このように、本実施形態においても、電気泳動層１１で散乱された光における光出射面に対する入射角度を臨界角よりも大きくすることができる。すなわち、ファイバープレート５２を設けたことで電気泳動層１１による散乱光の全反射条件が緩和されて、対向基板２で全反射されることで他の画素の表示に寄与していた光成分を抑制することができる。
本実施形態においても、上述した光学的クロストークが低減されるので、結果的に表示ムラの発生が抑制されて高品質の表示を行う事ができる。
【００５４】
なお、上記実施形態では、ひとつの画素Ｇに対して複数の光ファイバー５２ａが配置されている場合を例に挙げたが、本発明はこれに限定されない。複数の画素Ｇに対してひとつの光ファイバー５２ａが配置されていてもよい。
【００５５】
また、本発明は、上記実施形態のものに必ずしも限定されるものではなく、本発明の趣旨を逸脱しない範囲において種々の変更を加えることが可能である。
例えば、上記実施形態では、光学素子１２又はファイバープレート５２が対向基板２の外側（電気泳動層１１と反対側）に設けられる場合を例に挙げたが、本発明はこれに限定されず、図７に示すように、光学素子１２又はファイバープレート５２が対向基板２の内側に設けられていても良い。これによれば、電気泳動層１１からの散乱光を光学素子１２又はファイバープレート５２に効率良く入射させることができる。あるいは、対向基板２に代えて、光学素子１２又はファイバープレート５２のみを設けるようにしても良い。この場合、光学素子１２又はファイバープレート５２が対向基板２としての機能を兼ねるので、電気泳動表示装置の薄型化を図ることができる。
【００５６】
（電子機器）
次に、上記各実施形態の電気泳動表示装置を電子機器に適用した場合について説明する。
図８は、本発明の電気泳動表示装置を適用した電子機器の具体例を説明する斜視図である。
図８（ａ）は、電子機器の一例である電子ブックを示す斜視図である。この電子ブック（電子機器）３００は、ブック形状のフレーム３０１と、このフレーム３０１に対して回動自在に設けられた（開閉可能な）カバー３０２と、操作部３０３と、本発明の電気泳動表示装置によって構成された表示部３０４と、を備えている。
【００５７】
図８（ｂ）は、電子機器の一例である腕時計を示す斜視図である。この腕時計（電子機器）４００は、本発明の電気泳動表示装置によって構成された表示部４０１を備えている。
【００５８】
図８（ｃ）は、電子機器の一例である電子ペーパーを示す斜視図である。この電子ペーパー（電子機器）５００は、紙と同様の質感および柔軟性を有するリライタブルシートで構成される本体部５０１と、本発明の電気泳動表示装置によって構成された表示部５０２を備えている。
【００５９】
例えば電子ブックや電子ペーパーなどは、白地の背景上に文字を繰り返し書き込む用途が想定されるため、表示ムラの解消が必要とされる。
なお、本発明の電気泳動表示装置を適用可能な電子機器の範囲はこれに限定されず、帯電粒子の移動に伴う視覚上の色調の変化を利用した装置を広く含むものである。
【００６０】
以上の電子ブック３００、腕時計４００及び電子ペーパー５００によれば、本発明に係る電気泳動表示装置が採用されているので、表示ムラが抑制されることで品質の高い表示特性を得ることができる信頼性に優れた高品位の電子機器となる。
【００６１】
なお、上記の電子機器は、本発明に係る電子機器を例示するものであって、本発明の技術範囲を限定するものではない。例えば、携帯電話、携帯用オーディオ機器などの電子機器の表示部や、マニュアル等の業務用シート、教科書、問題集、情報シート等にも、本発明に係る電気泳動表示装置は好適に用いることができる。
【符号の説明】
【００６２】
１…素子基板（第１基板）、２…対向基板（第２基板）、１１…電気泳動層、１２…光学素子（屈折率変化層）、１２ａ…ディスコチック液晶、５２…ファイバープレート（導光部材）、１００，２００…電気泳動表示装置、３００…電子ブック（電子機器）、４００…腕時計（電子機器）、５００…電子ペーパー（電子機器）
【図１】
2015060024.tif 000003
【図２】
2015060024.tif 000004
【図３】
2015060024.tif 000005
【図４】
2015060024.tif 000006
【図５】
2015060024.tif 000007
【図６】
2015060024.tif 000008
【図７】
2015060024.tif 000009
【図８】
2015060024.tif 000010